(57)【特許請求の範囲】
【請求項１】
発光体及び前記発光体を制御する回路部を筐体部に内蔵するオーナメントであって、
前記筐体部は、
前記発光体から放射される光を拡散させて透過させる拡散層と、
前記拡散層の外側表面に、外部からの光の一部を反射させる反射層と、を備え、
前記反射層は、前記拡散層を透過した前記発光体から放射される光の一部を透過させ、
前記回路部は、当該回路部の裏面側に設けられる脚部を介して前記拡散層に配置され、
前記発光体から放射された光は、前記回路部の表面側に対向する前記拡散層及び前記反射層を透過するとともに、前記拡散層にて拡散され前記回路部の裏面側に回り込むことにより前記回路部の裏面側に対向する前記拡散層及び前記反射層を透過することが可能である
ことを特徴とするオーナメント。
【請求項２】
前記筐体部は、前記反射層及び前記拡散層に、穴部を有し、
前記穴部は、スイッチ部または接続部の装着が可能であり、
前記スイッチ部または接続部は、前記回路部に接続されることを特徴とする請求項１に記載のオーナメント。
【請求項３】
前記接続部は、他のオーナメントの筐体部に接続可能であることを特徴とする請求項２に記載のオーナメント。
【請求項４】
前記筐体部は、前記反射層及び前記拡散層を、当該筐体部の全周に亘って備えることを特徴とする請求項１ないし３のいずれかに記載のオーナメント。
【請求項５】
前記筐体部は、球型または多角形型であることを特徴とする請求項１ないし４のいずれかに記載のオーナメント。
【発明の詳細な説明】
【技術分野】
【０００１】
本発明は、発光体を有するオーナメントに係り、特に、発光体が発光しているときだけでなく、発光していないときにも装飾用に利用することが可能なオーナメントに関する。
【背景技術】
【０００２】
従来、発光体、特に、発光ダイオードを内蔵するランプは、複数の色で発光するものなどがあり、照明や装飾用に利用できるものが知られている。
【０００３】
従来、発光ダイオードを本体部に内蔵し、本体部の外周面の一部を、光透過性を備えるようにすることで、この光透過性の部分を介して発光ダイオードの光を外部に放射させるものがある（例えば、特許文献１参照）。
【先行技術文献】
【特許文献】
【０００４】
【特許文献１】実用新案登録第３０８０９５７号公報
【発明の概要】
【発明が解決しようとする課題】
【０００５】
しかしながら、上記特許文献１にあっては、光透過性の部分を備えることから、外部から内部の発光ダイオードや回路が見えてしまうという問題がある。特に、発光していないときに、昼間などの明るい時間帯には、外部から内部の発光ダイオードや回路などが全て見えてしまい、外観が悪くなる。
このため、照明用として利用することができても、装飾用のオーナメントとして常時利用するには問題となることがある。
本発明は、このような問題点に着目してなされたもので、装飾用のオーナメントとして常時利用することが可能な発光体を有するオーナメントを提供することを目的とする。
【課題を解決するための手段】
【０００６】
前記課題を解決するために、本発明のオーナメントは、
発光体及び前記発光体を制御する回路部を筐体部に内蔵するオーナメントであって、
前記筐体部は、
前記発光体から放射される光を拡散させて透過させる拡散層と、
前記拡散層の外側表面に、外部からの光の一部を反射させる反射層と、を備え、
前記反射層は、前記拡散層を透過した前記発光体から放射される光の一部を透過させ、
前記回路部は、当該回路部の裏面側に設けられる脚部を介して前記拡散層に配置され、
前記発光体から放射された光は、前記回路部の表面側に対向する前記拡散層及び前記反射層を透過するとともに、前記拡散層にて拡散され前記回路部の裏面側に回り込むことにより前記回路部の裏面側に対向する前記拡散層及び前記反射層を透過することが可能である
ことを特徴としている。
本発明のオーナメントは、
前記筐体部は、
前記反射層及び前記拡散層に、穴部を有し、
前記穴部は、スイッチ部または接続部の装着が可能であり、
前記スイッチ部または接続部は、前記回路部に接続されることを特徴とする。
また、本発明のオーナメントは、
前記接続部は、他のオーナメントの筐体部に接続可能であることを特徴とする。
本発明のオーナメントは、
前記筐体部は、前記反射層及び前記拡散層を、当該筐体部の全周に亘って備える
本発明のオーナメントは、
前記筐体部は、球型または多角形型であることを特徴とする。
本発明のオーナメントは、
前記筐体部は、前記反射層と前記拡散層の間に前記反射層の付着力を高める中間層を備えることを特徴とする。
本発明のオーナメントは、
前記筐体部は、前記反射層の外側に保護層を備えることを特徴とする。
本発明のオーナメントは、
前記拡散層は、拡散材により構成され、
前記筐体部は、前記拡散材を基材とすることを特徴とする。
これらの特徴によれば、拡散層の外側表面に、外部からの光の一部を反射させる反射層を備えているため、発光体が発光していないときに、外部が明るい場合には、外部からの光が筐体部の反射層に反射されて拡散層部分を通過しないため、筐体部の内部が外側から見えなくなり、筐体部の外観をそのままオーナメントとして用いることができる。また、発光体が発光しているときに、外部が暗い場合には、発光体の光が筐体部の拡散層部分を介して拡散し透過するため、筐体部の全体が均一に光って見えることとなり、幻想的なオーナメントとすることができる。例えば、回路部の制御により発光体の光の色を変更させることで、様々な光を放射させることができる。
【０００７】
本発明のオーナメントは、
前記筐体部は、透過性の乳白のプラスチック素材またはガラス素材を用いることで、前記拡散層を構成させることを特徴とする。
この特徴によれば、筐体部において、透過性の乳白のプラスチック素材またはガラス素材を利用することで、透過性の乳白部分で光が拡散する拡散層を簡単に構成することができる。
【０００８】
本発明のオーナメントは、
前記反射層は、前記筐体部の表面に、メッキ蒸着により、入射する光の一部を反射し、一部を透過するハーフミラー処理が施されていることを特徴とする。
この特徴によれば、前記筐体部の表面に、メッキ蒸着によりハーフミラー処理を施すことで、発光体から放射される光の一部を外部に透過させる透過機能と、外部からの光の反射機能を同時に備えることとなる。
【０００９】
本発明のオーナメントは、
前記筐体部は、球型または多角形型であることを特徴とする。
この特徴によれば、筐体部は、発光体及び前記発光体を制御する回路部を内蔵できればよく、球型または多角形型などの形状のオーナメントとすることができる。
【００１０】
本発明のオーナメントは、
前記発光体は、複数種類の色の発光体を備え、
前記回路部は、前記複数種類の色の発光体を制御することで異なる色を発光するように制御することを特徴とする。
この特徴によれば、回路部が、複数種類の色の発光体を制御することで異なる色を発光するように制御することで、例えば、時間により異なる色を発光させることができるため、幻想的なオーナメントとすることができる。
【００１１】
本発明のオーナメントは、
前記発光体及び前記回路部は、前記筐体部の内部の略中央に配置されていることを特徴とする。
この特徴によれば、発光体及び回路部が、筐体部の内部の略中央に配置されることで、発光体の光が筐体部の拡散層部分を介して拡散し、筐体部の全体が均一に光って見えることとなり、幻想的なオーナメントとすることができる。
【図面の簡単な説明】
【００１２】
【図１】実施例１におけるオーナメントの外観図である。
【図２】実施例１におけるオーナメントの内部の発光体が発光しているときの様子を示す外観図である。
【図３】実施例１におけるオーナメントの概略構成図（ａ）及び（ｂ）である。
【図４】実施例２におけるオーナメントを複数接続させた場合の説明図である。
【図５】実施例２におけるオーナメントの構成図である。
【発明を実施するための形態】
【００１３】
本発明に係る発光体を有するオーナメントを実施するための形態を実施例に基づいて以下に説明する。
【実施例１】
【００１４】
実施例１に係る発光体を有するオーナメントにつき、図１から図３を参照して説明する。
【００１５】
図１及び図２に、本発明が適用された発光体を有するオーナメント１の外観図を示す。また、図３（ａ）及び（ｂ）に、オーナメント１の概略構成図を示す。
【００１６】
本実施例におけるオーナメント１は、装飾用のオーナメントとして昼夜を問わず常時利用することができ、また、内部の発光体を点灯させることで照明用としても利用することができ、さらに発光体としてフルカラーＬＥＤを用いることで、様々な色で発光するオーナメントとして機能する。
【００１７】
オーナメント１の形状は、図１に示すように球状としてもよいし、四角形状や多角形状など、様々な形状に形成でき、その形状により装飾用のインテリアやデザイングッズ、置物として用いることができるような形状を備える。オーナメント１は、図１に示すように、内部の発光体が発光していないときに、外部が明るい場合には、外部からの光がオーナメント１の外側表面の反射層に反射されて内部に光が通過しないため、オーナメント１の内部が外側から見えなくなり、オーナメント１の外観をそのままオーナメントとして用いることができる。また、図２にオーナメントの内部の発光体が発光しているときの様子を示すように、内部の発光体が発光しているときに、外部が暗い場合には、発光体の光がオーナメント１の拡散層部分を介して拡散し透過するため、オーナメント１の全体が均一に光って見えることとなり、幻想的なオーナメントとすることができる。例えば、発光体の光の色を変更させることで、様々な光を放射させることができる。
【００１８】
つぎに、図３（ａ）及び（ｂ）を参照してオーナメント１の構成を説明する。
【００１９】
オーナメント１は、図３（ａ）に概略構成を示すブロック図を示すように、発光ダイオードなどの赤色・緑色・青色のＲＧＢ三原色の発光体を有するフルカラーＬＥＤモジュール５と、フルカラーＬＥＤモジュール５の発光色と輝度を制御する制御部６と、フルカラーＬＥＤモジュール５及び制御部６を搭載した回路部２と、回路部２を内蔵する筐体部３とを少なくとも有する。
【００２０】
筐体部３は、図３（ｂ）にオーナメント１の断面の概略図を示すように、透過性の乳白色のプラスチック素材またはガラス素材などの拡散材１１により構成され、拡散材１１の外側表面に、外部からの光の一部を反射させ、拡散材１１を透過したフルカラーＬＥＤモジュール５から放射される光の一部を透過させる反射層４を備える。拡散材１１は、フルカラーＬＥＤモジュール５から放射される光を拡散させて透過させる拡散層として機能し、指向性の高いＬＥＤであっても、拡散層を設けることで、光が筐体部３内で拡散し、筐体部３全体から拡散された光が透過することで、筐体部の全体が均一に光って見えることとなり、幻想的なオーナメントとすることができる。プラスチック素材としては、例えば、エポキシ樹脂、ポリカーボネイト、アクリル系樹脂などを利用することができ、筐体部３をプラスチック素材とすることで、扱いやすく、耐久性に優れたオーナメントにすることができる。また、プラスチック素材またはガラス素材を、拡散材が投入された透過性の乳白色としておくことで、光を乱反射させる拡散層として機能する。また、光が拡散するような素材であれば、拡散材を透過性の乳白色としなくてもよい。拡散材１１を用いる代わりに、筐体部３を透明または半透明な基材により構成し、透明または半透明な基材の内側表面に、光を拡散させる拡散層を備えるようにしてもよい。
【００２１】
オーナメント１の筐体部３の拡散材１１の外側表面には、外部からの光の一部を反射させる反射処理が施された反射層４を備える。例えば、筐体部３の拡散材１１の外側表面に、メッキ蒸着により、入射する光の一部を反射し、光の一部を透過させるハーフミラー処理を施しておくことができる。メッキ蒸着によるハーフミラー処理を施すことで、拡散材１１の外側表面には入射する光の一部を反射し、一部を透過する反射層４としての金属膜が形成される。メッキ蒸着による金属としては、アルミニウムや、金、銀などを利用することできる。ハーフミラー処理を施すことで、拡散材１１の外側表面に金属膜が形成されると、筐体部３の外側は、例えば鏡面のような外観となり、外部からの光の一部を反射させることができる。さらに、反射層４の外側にトップコートとして樹脂などにより保護層を設けるようにしてもよいし、また、拡散材１１と反射層４との間に反射層の付着力を高めるようなアンダーコートを施すようにしてもよい。また、メッキ蒸着の代わりに、スパッタリング法などにより金属膜を直接成膜するようにしてもよい。いずれの場合も、反射層の厚みを調整することでハーフミラーとすることができる。拡散材１１及び反射層４の厚みは、後述するように、フルカラーＬＥＤモジュール５から放射される光を外側に透過させることができるように、フルカラーＬＥＤモジュール５の最適な輝度に応じて、適切に設定されている。
【００２２】
回路部２は、基板上に、フルカラーＬＥＤモジュール５が一個または複数個装着され、これらのフルカラーＬＥＤモジュール５の発光色と輝度を制御する制御部６を搭載し、所定の回路パターンが形成されている。制御部６によりフルカラーＬＥＤモジュール５の発光色をさまざまな色に変更できるとともに、輝度を調節させることができる。フルカラーＬＥＤモジュール５としては、例えば、Shenzhen world semi(深セン市華彩威科技有限公司)社の製品のＷＳ２８１２などを利用することができる。制御部６は、フルカラーＬＥＤモジュール５の各色の輝度を調整することで、発光色が様々な色に時間と共に変化するようにプログラミングしておいてもよいし、スマートフォン等からの遠隔操作により、外部から発光色を調整できるようにしてもよい。フルカラーＬＥＤモジュール５の代わりに、ＬＥＤを一つまたは二つにして一色または二色で発光するようにしてもよい。回路部２の構成は、発光体であるＬＥＤモジュールの点灯、消灯を制御できるものであれば、従来周知の構成を利用することができる。
【００２３】
回路部２の配線パターンは、フルカラーＬＥＤモジュール５と制御部６と電源とを規定の配線により接続させるようにしてもよいし、基板に配線パターンを予めプリントしておき、プリント基板としておくことができる。また、プリント基板は、フレキシブル基板にしておいてもよい。
【００２４】
また、回路部２には、直流の電池等を装着させた電源部を備えるようにしてもよいし、外部から電源を供給させるように電源端子を備えるようにしてもよい。オーナメント１は、図１〜図３に示すスイッチ８により、接続線９を介して回路部２に供給される電源をオン／オフするようにできる。スイッチ８の形状は、図示するような外部に突出するような形状でなく、オーナメント１の外観に沿った形状とするほうが美観の点からも望ましい。または、スイッチ８を設けずに、リモートコントロールにより、外部からオーナメント１の電源をオン／オフするようにしてもよい。また、乾電池等を内蔵する代わりに、外部から電源を供給させる場合には、スイッチ８の代わりに、コンセント及び整流器を介して交流電源に接続される電源接続部を備え、電源接続部を回路部２の電源端子に接続させるようにしてもよい。なお、電源接続部を備える場合の構成は、実施例２において後述する。
【００２５】
スイッチ８またはリモートコントロール等により電源がオンされると、回路部２に電源が供給され、フルカラーＬＥＤモジュール５及び制御部６が起動するとともに、フルカラーＬＥＤモジュール５の発光体が発光する。
【００２６】
また、回路部２は、図３（ｂ）に概略的に示されているように、オーナメント１の筐体部３の内側にスペーサ１２により固定されている。脚部としてのスペーサ１２を介することで、回路部２と筐体部３との間に空間が設けられ、フルカラーＬＥＤモジュール５からの光が拡散材１１を介して拡散され、回路部２のフルカラーＬＥＤモジュール５が搭載されている裏面側にも光が回り込み、筐体部３全体が光って見えることになる。好ましくは、フルカラーＬＥＤモジュール５を搭載した回路部２は、筐体部３の内部の略中央の、筐体部３の内部表面から離れた位置に配置した方が、フルカラーＬＥＤモジュール５の光がより拡散しやすくなる。
【００２７】
拡散材１１及び反射層４の厚みについては、例えば、筐体部３を直径１０センチの球型とし、拡散材１１として、乳白色のアクリル板を利用した場合に、拡散材１１の厚みを５ミリまたは７ミリとしたときの、メッキ蒸着の厚みを０．３ｍｍ、０．７ｍｍ、１ｍｍとした場合のフルカラーＬＥＤモジュール５としてＷＳ２８１２を一つ利用した場合、３原色の全体の光度は４００〜１０００ｍｃｄとすることで、オーナメント１が幻想的に光ることを確認できた。このため、筐体部３を直径１０センチの球型とし、拡散材１１として、厚みを５ミリまたは７ミリの乳白色のアクリル板を利用した場合に、通常の光度であればメッキ蒸着の厚みを０．３ｍｍ、０．７ｍｍ、１ｍｍと設定しておくことができる。この場合、厚みが０．３ｍｍ以上１ｍｍ以下のメッキ蒸着を施すだけで、簡単に反射層４を施すことができるので、筐体部３の形状に関わらず、筐体部３の外側表面に反射処理を施すことができる。ここで、メッキ蒸着される反射層の厚みは、０．３ｍｍ以上１ｍｍ以下、より好ましくは、０．３ｍｍ以上０．７ｍｍ以下とすることができる。従って、メッキ蒸着される反射層の厚みは、乳白色のアクリル板の拡散層の厚みに対して、０．３／７＝０．０４２〜１／５＝０．２ぐらい、好ましくは、０．３／５＝０．０６〜１／５＝０．２に設定すればよい。他の材料により拡散層と反射層とを構成する場合にも、反射層の厚みは、拡散層の厚みに対して、０．０６〜０．２ぐらい、好ましくは、０．０６〜０．１ぐらいに設定すれば、反射層の厚みをより薄くしても、通常のＬＥＤの光度である４００〜１０００ｍｃｄに対して、ハーフミラーとして機能させることができる。
【００２８】
オーナメント１の製造方法としては、回路部２のプリント基板を形成し、制御部６とフルカラーＬＥＤモジュール５と電源部とを回路部２のプリント基板上の所定位置に配置させる。また、透過性の乳白色のプラスチック素材またはガラス素材などの拡散材１１を球型などの所定の形状に形成し、拡散材１１の外側表面に、ハーフミラー処理を施し、反射層４を設けておくことで、筐体部３を形成する。筐体部３には、スイッチ８の形状に合わせた穴を形成しておく。回路部２の製造と、筐体部３の製造とを別々に行った後に、筐体部３の穴から、プリント基板の回路部２を挿入し、スペーサ１２により、筐体部３に回路部２を固定する。回路部２は、プリント基板とすることにより折り曲げ可能である。または、スイッチ８の形状に合わせた穴が小さく、回路部２が挿入できない場合には、筐体部３を二分割することで、筐体部３の内部に回路部２をスペーサ１２により固定し、その後、分割した筐体部３を張り合わせるようにしてもよい。筐体部３に回路部２を固定後、接続線９にスイッチ８を接続し、スイッチ８を筐体部３の穴に装着して固定する。
【００２９】
このように、回路部２の製造と、筐体部３の製造とを別々に行った後に組み立てるだけで簡単にオーナメント１を製造することができる。上述した製造方法以外の方法でも、図１〜図３に示すようなオーナメント１の構成を備えていれば、どのような製造方法であってもよい。
【実施例２】
【００３０】
実施例２に係る発光体を有するオーナメントにつき、図４及び図５を参照して説明する。図４及び図５に、実施例２におけるオーナメント１Ａ〜Ｃの外観図を示す。実施例２においては、実施例１に示したオーナメント１を複数接続させることができる接続部を備える場合を例にする。なお、オーナメント１の基本構成、及び製造方法は、実施例１と同様である。実施例２におけるオーナメント１Ａ〜Ｃは、同一の構成であり、識別のためにＡ〜Ｃを付加しており、他の構成においても同様である。また、例えば、図５においては、回路部２Ｂ及び２Ｃ等の構成は、回路部２Ａの構成と同じであるため、詳細の構成の記載は省略している。
【００３１】
実施例２においては、図４に接続例を示し、図５に概略構成を示すブロック図を示すように、オーナメント１Ａ、１Ｂ、１Ｃのそれぞれに、他のオーナメントの筐体部に接続される接続部１８（各オーナメントにおいては１８Ａ１、１８Ａ２、１８Ｂ１、１８Ｂ２、１８Ｃ１、１８Ｃ２として示す。）を少なくとも一つ備えている。接続部１８は、各オーナメントを物理的に接続させるだけでなく、各オーナメントに供給する電源線１９を備えて、各オーナメントを接続させている。この場合、各オーナメントに電池等を内蔵する代わりに、外部からの電源を、正極線とグランド線の二本の電源線１９を介して供給させる。回路部２へ電源を供給するための電源線１９は接続部１８に内蔵されており、接続部１８の電源線１９が回路部２に設けられる回路端子部２０に接続され、電源線１９を介して電源が供給されるようにできる。また、接続部１８の端部にコンセント等に差し込むための差込プラグ１７が設けられ、交流電力を直流電力に変換（整流）する整流器（図示せず）を介して交流電源に接続され、接続部１８の接続線上にスイッチを設けてもよい。また、スイッチ８はオーナメント１にそれぞれ設けてもよいし、設けなくてもよい。また、接続部１８には、各フルカラーＬＥＤモジュール５の制御線を内蔵させてもよい。この場合、接続部１８は、二本の電源線と制御線との三本の信号線を備える。
【００３２】
オーナメント１Ａ、１Ｂ、１Ｃを、接続部１８を介して接続させ、電源を接続させることで、それぞれのオーナメントのフルカラーＬＥＤモジュール５の発光を制御するようにできる。例えば、オーナメント１Ａ、１Ｂ、１Ｃそれぞれを同じ色または異なる色で発光させたり、時間によりそれぞれをオン／オフさせたりするように各制御部６において制御するようにできる。実施例に２においては、複数のオーナメント１が接続されることで、装飾用の照明装置として利用することができ、また、複数のオーナメント１のそれぞれを点灯させるようにできる。
【００３３】
以上、説明したように、上記実施例１及び２によれば、装飾用のオーナメントとして昼夜を問わず常時利用することができ、また、内部の発光体を点灯させることで照明用としても利用することができ、さらに発光体としてフルカラーＬＥＤを用いることで、様々な色で発光するオーナメントを実現することができ、内部の発光体を点灯させた場合消灯させた場合で外観を異なるものとすることができるため、使用者の気分に応じてこれらのオーナメントを使い分けることができる。
【００３４】
上記実施例１及び２によれば、拡散材１１の外側表面に、外部からの光の一部を反射させる反射層４を備えているため、発光体が発光していないときに、外部が明るい場合には、外部からの光が筐体部の反射層４に反射されて拡散材１１部分を通過しないため、筐体部３の内部が外側から見えなくなり、筐体部３の外観をそのままオーナメントとして用いることができる。また、発光体が発光しているときに、外部が暗い場合には、発光体の光が筐体部３の拡散材１１部分を介して拡散し透過するため、筐体部３の全体が均一に光って見えることとなり、幻想的なオーナメントとすることができる。例えば、回路部２の制御により発光体の光の色を変更させることで、様々な光を放射させることができる。
【００３５】
上記実施例１及び２によれば、筐体部３において、透過性の乳白のプラスチック素材またはガラス素材を利用することで、透過性の乳白部分で光が拡散する拡散材１１を簡単に構成することができる。
【００３６】
上記実施例１及び２によれば、筐体部３の表面に、メッキ蒸着によりハーフミラー処理を施すことで、発光体から放射される光の一部を外部に透過させる透過機能と、外部からの光の反射機能を同時に備えることとなる。
【００３７】
上記実施例１及び２によれば、筐体部３は、フルカラーＬＥＤモジュール５及びこれを制御する制御部６を搭載した回路部２を内蔵できればよく、球型または多角形型などの形状のオーナメントとすることができる。
【００３８】
上記実施例１及び２によれば、回路部２が、複数種類の色の発光体を制御することで異なる色を発光するように制御することで、例えば、時間により異なる色を発光させることができるため、幻想的なオーナメントとすることができる。
【００３９】
上記実施例１及び２によれば、発光体及び回路部２が、筐体部３の内部の中央に配置されることで、発光体の光が筐体部３の拡散材１１部分を介して拡散し、筐体部３の全体が均一に光って見えることとなり、幻想的なオーナメントとすることができる。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、上記実施例では、回路部２は、オーナメント１の筐体部３の内側にスペーサ１２により固定されているが、回路部２をＩＣなどチップ状に超小型に制作して、オーナメント１の筐体部３の内側に直接接着するようにしてもよい。
【００４２】
また、筐体部３は、防水性を備えるように、外側表面をさらに被覆してもよい。この場合、反射層４の外側表面に被覆されるトップコートを樹脂にすることで、構成できる。さらに、筐体部３を載せる台を下部に備えてもよい。筐体部３が球型の場合には、台に載せることで安定させることができる。
【符号の説明】
【００４３】
１、１Ａ、１Ｂ、１Ｃ      ：オーナメント
２        ：回路部
３        ：筐体部
４        ：反射層
５        ：フルカラーＬＥＤモジュール
６        ：制御部
８        ：スイッチ
９        ：接続線
１１      ：拡散材
１２      ：スペーサ
１７      ：差込プラグ
１８      ：接続部
１９      ：電源線
２０      ：回路端子部
【図１】
0006513380.tif 000002
【図２】
0006513380.tif 000003
【図３】
0006513380.tif 000004
【図４】
0006513380.tif 000005
【図５】
0006513380.tif 000006